(57)【要約】【課題】本発明は、電気部品箱の構成部品の数を減じ、組立てを容易化して組立て作業性の向上化を図り、コストに対する悪影響の減少を得られる空気調和機を提供する。【解決手段】電気部品箱１０は、室内機本体１の側部に沿って設けられる樹脂成型品からなる基板ベース１５と、室内機本体の前面側に設けられコネクタ端子Ｋ等を備えたサブベース１６と、熱交換器６の側部に沿って設けられ金属板体からなる部品カバー１７とで組立てられ、基板ベースおよびサブベースの互いに対向する側辺部Ｂ，Ａに設けられ互いに係止することにより基板ベースとサブベースとの側辺部相互を回動自在に仮固定する爪部２２，３０および係合部２４，２８と、基板ベースとサブベースの互いに当接する他側辺部に設けられ爪部と係合部を係止し基板ベースに対してサブベースを回動した状態で互いに係止され基板ベースとサブベースの他側辺部相互を組立て保持する係止爪部２６および係合溝部３２とを具備する。【選択図】      図３
2006250376.tif 000002
【特許請求の範囲】
【請求項１】
筐体からなる室内機本体内に、熱交換器を収容するとともに、この熱交換器の側部と室内機本体の側部との間に介在する電気部品箱を備えた空気調和機の室内機において、
上記電気部品箱は、
室内機本体の側部に沿って設けられ、電気制御部品実装用の制御基板を取付けるための、樹脂成型品からなる基板ベースと、
上記室内機本体の前面側に設けられ、コネクタ端子等を備えたサブベースと、
上記熱交換器の側部に沿って設けられ、金属板体からなる部品カバーとで組立てられ、
上記基板ベースおよび上記サブベースの互いに対向する側辺部に設けられ、互いに係止することにより基板ベースとサブベースとの側辺部相互を回動自在に仮固定する爪部および係合部と、
基板ベースとサブベースの他側辺部に設けられ、上記爪部と係合部を係止し基板ベースに対してサブベースを回動した状態で互いに係止され、基板ベースとサブベースの他側辺部相互を組立て保持する係止爪部および係合溝部と
を具備することを特徴とする空気調和機の室内機。
【発明の詳細な説明】
【技術分野】
【０００１】
本発明は、空気調和機の室内機に係り、特に、室内機本体内に配置される電気部品箱構造の改良に関する。
【背景技術】
【０００２】
空気調和機は、被空調室に取付けられる室内機と、建屋外部に据付けられる室外機とから構成され、室内機と室外機との間を冷媒管や電気配線等を介して接続する分離型のものが多用されている。室内機には遠隔操作盤（リモコンと呼ばれる）が付属され、送風機や圧縮機ほかの冷凍サイクル構成部品は、上記遠隔操作盤からの指示信号を受け設定された空調条件を得るよう作用する。
【０００３】
また、筐体である室内機本体内には送風機や冷凍サイクル構成部品を電気的に制御する電気制御部品が備えられ、これらは全て制御基板に一括して実装される。そして制御基板は、電気部品箱に収容される。
【０００４】
本出願人は、先に［特許文献１］において、空気調和機の電気部品箱構造に係る出願をなしている。これは、制御基板を取付けた基板ベースを金属製の部品箱本体に収容し、部品箱本体の前面に前面板体を爪部と係合溝との係合により取付けている。そして、他の装着部品も部品箱本体に爪部と係合溝との嵌合により、個々に結合している。上記基板ベースを部品箱本体に収容した状態で、部品箱本体の側面開口部を金属製の側面筐体で閉成してなる。
【０００５】
【特許文献１】特許第３１５４９２３号公報
【発明の開示】
【発明が解決しようとする課題】
【０００６】
このように上述の電気部品箱においては、金属製の部品箱本体と、樹脂成型品である基板ベースと、樹脂成型品であるサブベースおよび金属製の部品カバーとから構成されるので、部品点数が多くなっている。
【０００７】
また、互いの構成部品を正しく位置決めし対向したうえで、爪部と係合溝とを嵌め込む結合手段によって組立てられるところから、結合箇所が多くなって組立て作業性が悪く、コストに悪影響を及ぼしている。
【０００８】
組立てコストの低減を図るためには、部品点数の低減とともに、結合箇所を削減しなければならないが、従来の嵌め込み方式では結合箇所の削減を図ることは無理がある。それでもなお結合箇所の削減をなすと、組立てられた電気部品箱が構造的に不安定となる虞れがある。
【０００９】
本発明は、上記事情に鑑みなされたものであり、その目的とするところは、電気部品箱の構成部品の数を少なくしたうえに、組立てを容易化して組立て作業性の向上化を図り、コストに対する悪影響の減少を得られる空気調和機を提供しようとするものである。
【課題を解決するための手段】
【００１０】
上記目的を達成するため本発明は、筐体からなる室内機本体内に、熱交換器を収容するとともに、この熱交換器の側部と室内機本体の側部との間に介在する電気部品箱を備えた空気調和機の室内機において、上記電気部品箱は、室内機本体の側部に沿って設けられ電気制御部品実装用の制御基板を取付けるための樹脂成型品からなる基板ベースと、室内機本体の前面側に設けられコネクタ端子等を備えたサブベースと、熱交換器の側部に沿って設けられ金属板体からなる部品カバーとで組立てられ、基板ベースおよびサブベースの互いに対向する側辺部に設けられ互いに係止することにより基板ベースとサブベースとの側辺部相互を回動自在に仮固定する爪部および係合部と、基板ベースとサブベースの他側辺部に設けられ爪部と係合部を係止し基板ベースに対してサブベースを回動した状態で互いに係止され基板ベースとサブベースの他側辺部相互を組立て保持する係止爪部および係合溝部とを具備する。
【発明の効果】
【００１１】
本発明によれば、電気部品箱の構成部品の数を少なくしたうえに、組立てが容易で組立て作業性の向上化を図れ、コストに対する悪影響の低減化を得られる等の効果を奏する。
【発明を実施するための最良の形態】
【００１２】
以下、図面を参照しながら、本発明の実施の形態について詳細に説明する。  
図１は空気調和機を構成する室内機の斜視図、図２は室内機内部を露出した一部斜視図である。  
図１に示すように、筐体である室内機本体１は、前面パネル２と、この前面パネルが嵌め込まれる後板３とから構成される。前面パネル２には、前部吸込み口２ａと、上部吸込み口２ｂが設けられる。室内機本体１の下面部には吹出し口４が設けられ、この吹出し口４の一側部には図示しない遠隔操作盤から発信される信号を受ける受信部と運転状態を表示する表示部を一括する受信・表示部５が設けられる。
【００１３】
図２に示すように、先に説明した後板３に熱交換器６が取付け配置される。この熱交換器６は、いわゆるフィンドチューブタイプのものであり、成形にあたって熱交換パイプをフィンに貫通固着した後、フィンの所定部位を折り曲げて、逆Ｖ字状に形成するものである。熱交換器６は、前部吸込み口２ａおよび上部吸込み口２ｂに対向する熱交換面を有する。
【００１４】
このような逆Ｖ字状の熱交換器６間には、ここでは図示しない送風機が配置されている。この送風機は、ブラシレス直流駆動モータと、この駆動モータの回転軸に嵌着され、軸方向が熱交換器の幅方向に沿って延出する横流ファンとから構成される。
【００１５】
上記熱交換器６の下端部には前ドレンパン７が配置され、さらにこの下方部位である上記吹出し口４と対向する部位には、風向案内板８が設けられる。風向案内板８は、ここでは上下方向の風向案内用の上下ルーバーを図示し、左右方向の風向を案内する左右ルーバーは省略してある。
【００１６】
上記室内機本体１の右側部と熱交換器６および送風機の側部との間には、後述する電気部品箱１０が介在される。上記電気部品箱１０の前面には前面板１１が取着されており、この前面板１１の取付けねじ１２を取外した状態を、以下に示す。  
図３は電気部品箱１０を分解した斜視図であり、図４は組立てられた電気部品箱１０の斜視図である。
【００１７】
上記電気部品箱１０は、樹脂成型品からなる基板ベース１５およびサブベース１６と、金属板体からなる部品カバー１７とから組立てられる。  
上記基板ベース１５は電気部品箱１０の一側部（正面視で右側）を構成しており、電気的な絶縁性を必要とするため合成樹脂材で成型される。室内機本体１の後板３に取付けられた状態で、後板３の側面部と狭小の間隙を存して対向する位置にある。基板ベース１５の側面部１５ａは平板状に形成されていて、この側面部１５ａの内面側に電気制御部品を実装する図示しない制御基板が取付けられている。
【００１８】
上記サブベース１６は電気部品箱１０の前面部を構成しており、図２に示す前面板１１を取外すことにより前面側に露出する。サブベース１６には、ここでは図示しないコネクタ端子（図５、図９に示すＫ）他の電気部品が取付けられ、室外機および上記受信・表示部５から延出される電源線や信号線が接続されるようになっている。
【００１９】
また、サブベース１６は、電気的な絶縁性を必要とするとともに、上記前面板１２を取付けるためのねじ孔を備えた複数本のボス部２０を一体に設けて形状が複雑化するため、合成樹脂材で成型される。  
上記部品カバー１７は、上記熱交換器６が配置される側の電気部品箱１０の側面部（正面視で左側）を構成しており、冷凍サイクル運転にともない熱交換器６で発生する熱の影響が電気部品箱１０内部に及ぶことのないよう遮熱性を有する金属板体からなる。特に、部品カバー１７の上記送風機と対向する部位は、内側へ突出する凹部１７ａとなっていて、送風機と電気部品箱１０とが干渉しないよう配慮されている。
【００２０】
このような基板ベース１５と、サブベース１６および部品カバー１７とを組合せて電気部品箱１０とした状態で、基板ベース１５とサブベース１６および部品カバー１７の互いの側辺部が密に接して、密閉箱状に形成される。  
特に、基板ベース１５の上面部で、部品カバー１７の上面部と接する側辺部には、リブ２１が一体に立上り形成される。すなわち、電気部品箱１０として組立てられた状態で、基板ベース１５のリブ２１上端縁が部品カバー１７の上面部内面に沿って密着する。
【００２１】
したがって、熱交換器６から飛散し、もしくは上部吸込み口２ｂから室内機本体１内部へ浸入する水滴があっても、少なくとも基板ベース１５と部品カバー１７の上面部においては上記リブ２１の存在によって電気部品箱１０内部への水滴の浸入を確実に阻止する。
【００２２】
つぎに、上記基板ベース１５に対するサブベース１６の組立て構造の詳細について説明する。  
図５はサブベース１６の斜視図であり、図６は基板ベース１５の斜視図である。  
図５に示すように、サブベース１６の図における右側辺部Ａの上部に、サブベース１６の板面とは直交する方向である奥側に一体に折曲された状態で、矩形状の縦爪部２２が設けられる。この縦爪部２２の下方部位で、サブベース１６の前面部には矩形状の開口部２３が設けられ、開口部２３と側端縁と間の残された部分を係合杆部２４と呼ぶ。
【００２３】
これら開口部２３と係合杆部２４のさらに下部側に、上記縦爪部２２と同様、サブベース１６の板面とは直交する方向である奥側へ一体に突出する抑え片部２５が設けられる。この抑え片部２５は、サブベース１６の幅方向に沿う所定幅を有し、先端縁は下方に折曲形成される。  
上記サブベース１６の上端縁で、図における左側辺部よりもある程度内側の位置に、サブベース１６の板面とは直交する方向である奥側へ一体に突出する係止爪部２６が設けられる。この係止爪部２６はサブベース１６の幅方向に沿う所定幅を有している。
【００２４】
図６に示すように、上記基板ベース１５は上記制御基板取付け用の平板状をなす側面部１５ａと、この側面部１５ａの上部側で、側面部１５ａの板面とは直交する方向、すなわち電気部品箱１０の前面部と平行に形成される前面部１５ｂと、側面部１５ａの上端から水平に一体に折曲され上記前面部１５ｂと一体に連設される上面部１５ｃおよび、前面部１５ｂと上面部１５ｃとの間に介設される斜め前面部１５ｄを備えている。先に説明したリブ２１は、上面部１５ｃの端縁に沿って一体に立上り形成されるものである。
【００２５】
このような基板ベース１５の側面部１５ａと前面部１５ｂとの角部で、かつ上部には矩形状の係合孔部２８が設けられる。この係合孔部２８は、基板ベース１５に対してサブベース１６を組立てる状態で、サブベース１６に設けられる上記縦爪部２２と対向する位置にある。係合孔部２８の縦方向長さは、縦爪部２２の縦方向長さよりも僅かに大に形成される。
【００２６】
基板ベース１５の下端部において、側面部１５ａとは直交する方向である前面側に一体に爪支持片２９が設けられていて、この爪支持片２９の前面部には受け爪部３０が一体に設けられている。この受け爪部３０は、基板ベース１５に対してサブベース１６を組立てる状態で、サブベース１６に設けられる上記開口部２３と対向する位置にある。そして、受け爪部３０は開口部２３に隣接して設けられる係合杆部２４に係合可能な寸法構造をなしている。
【００２７】
上記爪支持片２９の近傍部位で、かつ基板ベース１５の側面部１５ａ下端には、ストッパ片部３１が一体に突設される。このストッパ片部３１は基板ベース１５の側面視で逆台形状をなし、基板ベース１５に対してサブベース１６を組立てる状態で、サブベース１６に設けられる抑え片部２５と対向する位置にある。
【００２８】
さらに、基板ベース１５の前面部１５ｂと上面部１５ｃとの間に形成される斜め前面部１５ｄにおいて、この端縁部には切欠きからなる係合溝部３２が設けられる。この係合溝部３２は、基板ベース１５に対してサブベース１６を組立てる状態で、サブベース１６に設けられる上記係止爪部２６と対向する位置にある。
【００２９】
つぎに、上記電気部品箱１０の組立て工程について説明する。  
電気部品箱１０を組立てるにあたって、はじめに基板ベース１５に対してサブベース１６を仮組立てする。  
図７は、基板ベース１５に対してサブベース１６を仮組立てした状態の斜視図である。
作業者は一方の手で基板ベース１５を保持し、他方の手でサブベース１６を持って、基板ベース１５の側辺部Ｂとサブベース１６の側辺部Ａを近接させるとともに、基板ベース１５に対してサブベース１６を９０°以上開いた状態とし、基板ベース１５とサブベース１６の内面側を見易くして対向する。
【００３０】
そして、サブベース１６の縦爪部２２を基板ベース１５の係合孔部２８に挿入し係合するとともに、サブベース１６の開口部２３を基板ベース１５の受け爪部３０に介挿し、かつ係合杆部２４を受け爪部３０に係合する。この状態で、図７に示すように基板ベース１５とサブベース１６とが仮組立てされる。
【００３１】
したがって、作業者は基板ベース１５を保持していれば、サブベース１６から手を離しても、サブベース１６が基板ベース１５から脱落することはない。あるいは、その逆にサブベース１６を保持していれば、基板ベース１５から手を離しても、基板ベース１５がサブベース１６から脱落することはない。
【００３２】
サブベース１６の縦爪部２２を基板ベース１５の係合孔部２８に係合し、サブベース１６の係合杆部２４を基板ベース１５の受け爪部３０に係合したので、これら縦爪部２２と係合杆部２４が設けられるサブベース１６の右側辺部Ａは基板ベース１５の側辺部Ｂに対して回動自在に支持される。なお、このときは基板ベース１５に対してサブベース１６を９０°以上開いた状態としているので、基板ベース１５のストッパ片部３１に対してサブベース１６の抑え片部２５が離間している。
【００３３】
つぎの作業として、基板ベース１５の係合孔部２８と受け爪部３０が設けられる側辺部Ｂを支軸として、基板ベース１５に対してサブベース１６を回動付勢する。このことにより、サブベース１６に設けられる係止爪部２６が基板ベース１５に設けられる係合溝部３２に挿入され、互いに係止される。すなわち、基板ベース１５に対するサブベース１６の組立てが完了する。
【００３４】
図８は基板ベース１５にサブベース１６が組立てられた状態を内側から見た斜視図であり、図９は同じく基板ベース１５にサブベース１６が組立てられた状態を外側から見た斜視図である。  
上述したように、サブベース１６の縦爪部２２を基板ベース１５の係合孔部２８に係合し、サブベース１６の係合杆部２４を基板ベース１５の受け爪部３０に係合して、基板ベース１５に対するサブベース１６の仮組立てをなし、サブベース１６と基板ベース１５の一側辺部Ａ，Ｂを支軸として回動すれば、サブベース１６の係止爪部２６が基板ベース１５の係合溝部３２に係止される。
【００３５】
図８および図９に示すように、サブベース１６の側辺部Ａが基板ベース１５の側辺部Ｂに沿って密着し、かつサブベース１６の上部が基板ベース１５の前面部１５ｂと斜め前面部１５ｄのそれぞれ一部に密接する。そして、サブベース１６の上記抑え片部２５が基板ベース１５の上記ストッパ片部３１に密接して、それ以上のサブベース１６の回動が規制される。
【００３６】
つぎに、上述した部品カバー１７の側辺部を、基板ベース１５およびサブベース１６の対向する側辺部に沿って係合することで、図４で説明したように電気部品箱１０の組立てが完了する。そして、この電気部品箱１０を図２で示すように熱交換器６と後板３側面部との間に介在させることにより、電気部品箱１０の室内機本体１に対する取付けが完了する。
【００３７】
なお、上記実施の形態においては、サブベース１６に縦爪部２２と係合杆部２４および係止爪部２６を設け、基板ベース１５にはそれぞれに係合する係合孔部２８と受け爪部３０および係合溝部３２を設けたが、これに限定されるものではなく、サブベース１６に係合孔部２８と受け爪部３０および係合溝部３２を設け、基板ベース１５にそれぞれに係合する縦爪部２２と係合杆部２４および係止爪部２６を設けてもよい。
【００３８】
すなわち、基板ベース１５の側辺部Ｂに対してサブベース１６の側辺部Ａを回動自在に係合し、かつサブベース１６を基板ベース１５に対して回動した状態で、サブベース１６と基板ベース１５の他側辺部が係合できる構成であればよい。  
また、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【図面の簡単な説明】
【００３９】
【図１】本発明の実施の形態に係る、空気調和機を構成する室内機の外観斜視図。
【図２】同実施の形態に係る、室内機の一部を露出した斜視図。
【図３】同実施の形態に係る、電気部品箱の分解した斜視図。
【図４】同実施の形態に係る、組立てられた電気部品箱の斜視図。
【図５】同実施の形態に係る、電気部品箱を構成するサブベースの斜視図。
【図６】同実施の形態に係る、電気部品箱を構成する基板ベースの斜視図。
【図７】同実施の形態に係る、基板ベースとサブベースとの仮組立て状態の斜視図。
【図８】同実施の形態に係る、組立てられた基板ベースとサブベースの内側から見た斜視図。
【図９】同実施の形態に係る、組立てられた基板ベースとサブベースの外側から見た斜視図。
【符号の説明】
【００４０】
１…室内機本体、６…熱交換器、１０…電気部品箱、１５…基板ベース、Ｋ…コネクタ端子、１６…サブベース、１７…部品カバー、２２…縦爪部、２４…係合杆部、２６…係止爪部、２８…係合孔部、３０…受け爪部、３２…係合溝部。
【図１】
2006250376.tif 000003
【図２】
2006250376.tif 000004
【図３】
2006250376.tif 000005
【図４】
2006250376.tif 000006
【図５】
2006250376.tif 000007
【図６】
2006250376.tif 000008
【図７】
2006250376.tif 000009
【図８】
2006250376.tif 000010
【図９】
2006250376.tif 000011